【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】  絶縁性基板上に形成された画素に接続される配線群と、
前記画素からなる表示領域外の領域で、前記配線群の少なくとも１つに接続された引き出し配線と、
前記引き出し配線の少なくとも１つに接続され、かつ前記表示領域外の領域で、前記絶縁性基板上に実装される駆動回路の端子に透明導電膜を介して導電材料により接続される配線端子と、
前記絶縁性基板の前記表示領域外の端部に形成され、前記絶縁性基板外部に接続可能な外部端子と、
前記外部端子の少なくとも１つに接続された外部配線と、
前記外部配線の少なくとも１つに接続され、前記駆動回路の端子と導電材料により接続される外部配線端子と、
を備えた表示装置であって、
前記配線端子において前記透明導電膜と接続される面は、相対的に高抵抗の導電膜で形成され、
前記外部配線端子において前記駆動回路の端子と導電材料により接続される面は、相対的に低抵抗の導電膜で形成されたことを特徴とする表示装置。
【請求項２】 絶縁性基板上に形成された画素に接続される配線群と、
前記画素からなる表示領域外の領域で、前記配線群の少なくとも１つに接続された引き出し配線と、
前記引き出し配線の少なくとも１つに接続され、かつ前記表示領域外の領域で、前記絶縁性基板上に実装される駆動回路の端子に透明導電膜を介して導電材料により接続される配線端子と、
前記絶縁性基板の前記表示領域外の端部に形成され、前記絶縁性基板外部に接続可能な外部端子と、
前記外部端子の少なくとも１つに接続された外部配線と、
前記外部配線の少なくとも１つに接続され、前記駆動回路の端子と導電材料により接続される外部配線端子と、
を備えた表示装置であって、
前記配線端子において前記透明導電膜と接続される面は、比抵抗値が５μΩ・ｃｍ以上の高抵抗の導電膜で形成され、
前記外部配線端子において前記駆動回路の端子と導電材料により接続される面は、比抵抗値が５μΩ・ｃｍに満たない低抵抗の導電膜で形成されたことを特徴とする表示装置。
【請求項３】 絶縁性基板上に形成された画素に接続される配線群と、
前記画素からなる表示領域外の領域で、前記配線群の少なくとも１つに接続された引き出し配線と、
前記引き出し配線の少なくとも１つに接続され、かつ前記表示領域外の領域で、前記絶縁性基板上に実装される駆動回路の端子に透明導電膜を介して導電材料により接続される配線端子と、
前記絶縁性基板の前記表示領域外の端部に形成され、前記絶縁性基板外部に接続可能な外部端子と、
前記外部端子の少なくとも１つに接続された外部配線と、
前記外部配線の少なくとも１つに接続され、前記駆動回路の端子と導電材料により接続される外部配線端子と、
を備えた表示装置であって、
前記外部配線端子において前記駆動回路の端子と導電材料により接続される面は、前記配線端子よりも低抵抗の導電膜で形成されたことを特徴とする表示装置。
【請求項４】  前記高抵抗の導電膜は、Ｃｒ、Ｔｉ、Ｔａ、Ｍｏ、Ｗ、Ｎｉまたはそれらの合金もしくはそれらの積層膜のいずれかから選ばれ、前記低抵抗の導電膜は、Ａｌ、Ｃｕ、Ａｕ、Ａｇまたはそれらの合金もしくはそれらの積層膜のいずれかから選ばれることを特徴とする請求項１又は２に記載の表示装置。
【請求項５】  前記高抵抗の導電膜は、Ｃｒ、Ｔｉ、Ｔａ、Ｍｏ、Ｗ、Ｎｉまたはそれらの合金もしくはそれらの積層膜のいずれかから選ばれ、前記低抵抗の導電膜は、ＡｌまたはＡｌの合金のいずれかから選ばれることを特徴とする請求項１又は２に記載の表示装置。
【請求項６】  前記外部配線と前記外部配線端子とは、前記画素を駆動する走査線と同一層の導電膜で形成されたことを特徴とする請求項１乃至５のいずれかに記載の表示装置。
【請求項７】  前記引き出し配線と配線端子とは、前記画素を駆動する走査線と絶縁膜を介して交差する信号線と同一層の導電膜で形成されたことを特徴とする請求項１乃至６のいずれかに記載の表示装置。
【請求項８】  前記透明導電膜は、前記画素を構成する画素電極と同一層の導電膜で形成されたことを特徴とする請求項１乃至７のいずれかに記載の表示装置。
【請求項９】  前記駆動回路の端子と該駆動回路に隣接して実装される駆動回路の端子とが、それぞれの駆動回路の対向する一辺近傍において、前記低抵抗の導電膜に導電材料により直接接続されることで接続されることを特徴とする請求項１乃至８のいずれかに記載の表示装置。
【請求項１０】  前記配線端子と前記透明導電膜を介して接続される前記駆動回路の端子は、前記駆動回路における前記表示領域と近接する側の一辺近傍に形成されたことを特徴とする請求項１乃至９のいずれかに記載の表示装置。
【請求項１１】  前記外部端子は、前記駆動回路と該駆動回路に隣接して実装される駆動回路との間隙に形成されたことを特徴とする請求項１乃至１０のいずれかに記載の表示装置。
【請求項１２】  前記外部端子は、導電材料により絶縁性基板外部に直接接続され、該導電材料は、前記絶縁性基板上に直接実装される駆動回路の端子と前記配線端子および前記外部配線端子との接続に用いられる導電材料と同一の工程で形成されたことを特徴とする請求項１乃至１１のいずれかに記載の表示装置。
【請求項１３】  前記駆動回路の端子において、前記配線端子と前記透明導電膜を介して導電材料により接続される駆動回路の端子と、前記外部配線端子と導電材料により直接接続される駆動回路の端子との間で、端子の高さの差を有し、該差は前記絶縁性基板上に設けられた配線端子上の透明導電膜と外部配線端子それぞれの前記駆動回路の端子との接続面の高さの差と、実質的に等しいことを特徴とする請求項１乃至１２のいずれかに記載の表示装置。
【請求項１４】  絶縁性基板上に形成された画素に接続される配線群と、
前記画素からなる表示領域外の領域で、前記配線群の少なくとも１つに接続された引き出し配線と、
前記絶縁性基板の前記表示領域外の端部に形成され、前記絶縁性基板外部に接続可能な外部端子と、
前記外部端子の少なくとも１つに接続された外部配線と、
を備えた表示装置の製造方法であって、
相対的に高抵抗の導電膜を堆積し、パターニングすることで、前記引き出し配線の少なくとも１つに接続され、かつ前記表示領域外の領域で、配線端子を形成する工程と、
相対的に低抵抗の導電膜を堆積し、パターニングすることで、前記外部配線の少なくとも１つに接続された外部配線端子を形成する工程と、
前記配線端子と前記絶縁性基板上に実装される駆動回路の端子とが、透明導電膜を介して導電材料により実装される工程と、
前記外部配線端子と前記駆動回路の端子とが、導電材料により実装される工程と、
含むことを特徴とする表示装置の製造方法。
【請求項１５】  前記高抵抗の導電膜は、Ｃｒ、Ｔｉ、Ｔａ、Ｍｏ、Ｗ、Ｎｉまたはそれらの合金もしくはそれらの積層膜のいずれかから選ばれ、前記低抵抗の導電膜は、Ａｌ、Ｃｕ、Ａｕ、Ａｇまたはそれらの合金もしくはそれらの積層膜のいずれかから選ばれることを特徴とする請求項１４記載の表示装置の製造方法。
【請求項１６】  前記高抵抗の導電膜は、Ｃｒ、Ｔｉ、Ｔａ、Ｍｏ、Ｗ、Ｎｉまたはそれらの合金もしくはそれらの積層膜のいずれかから選ばれ、前記低抵抗の導電膜は、ＡｌまたはＡｌの合金のいずれかから選ばれることを特徴とする請求項１４記載の表示装置の製造方法。
【請求項１７】  前記外部配線と外部配線端子とは、前記画素を駆動する走査線を形成する工程と同一の工程で形成されることを特徴とする請求項１４乃至１６のいずれかに記載の表示装置の製造方法。
【請求項１８】  前記引き出し配線と配線端子とは、前記画素を駆動する走査線と絶縁膜を介して交差する信号線を形成する工程と同一の工程で形成されることを特徴とする請求項１４乃至１７のいずれかに記載の表示装置の製造方法。
【請求項１９】  前記透明導電膜は、前記画素を構成する画素電極を形成する工程と同一の工程で形成されることを特徴とする請求項１４乃至１８のいずれかに記載の表示装置の製造方法。
【請求項２０】  前記駆動回路の端子と該駆動回路に隣接して実装される駆動回路の端子とが、それぞれの駆動回路の対向する一辺近傍において、前記低抵抗の導電膜に導電材料により直接接続されることで接続される工程をさらに含むことを特徴とする請求項１４乃至１９のいずれかに記載の表示装置の製造方法。
【請求項２１】  前記外部端子は、導電材料により絶縁性基板外部に接続され、該導電材料は、前記絶縁性基板上に直接実装される駆動回路の端子と前記配線端子および前記外部配線端子との接続に用いられる導電材料と同一の工程で形成されることを特徴とする請求項１４乃至２０のいずれかに記載の表示装置の製造方法。
【手続補正２】
【補正対象書類名】明細書
【補正対象項目名】０００９
【補正方法】変更
【補正の内容】
【０００９】
本発明の第１の表示装置は、絶縁性基板上に形成された画素に接続される配線群と、前記画素からなる表示領域外の領域で、前記配線群の少なくとも１つに接続された引き出し配線と、前記引き出し配線の少なくとも１つに接続され、かつ前記表示領域外の領域で、前記絶縁性基板上に実装される駆動回路の端子に透明導電膜を介して導電材料により接続される配線端子と、前記絶縁性基板の前記表示領域外の端部に形成され、前記絶縁性基板外部に接続可能な外部端子と、前記外部端子の少なくとも１つに接続された外部配線と、前記外部配線の少なくとも１つに接続され、前記駆動回路の端子と導電材料により接続される外部配線端子とを備えた表示装置であって、前記配線端子において前記透明導電膜と接続される面は、相対的に高抵抗の導電膜で形成され、前記外部配線端子において前記駆動回路の端子と導電材料により接続される面は、相対的に低抵抗の導電膜で形成されたことを特徴とするものである。